(57)【要約】      （修正有）【課題】デシカントロータに付着した小さな塵、埃などを空気の流れを利用して除去することができるデシカント空調装置を提供する。【解決手段】空気中の水分を吸湿するための第１及び第２デシカントロータ４，８を備え、外部の空気が第１流路２４を通して第１デシカントロータ４の吸湿部２８、第２デシカントロータ８の吸湿部３０及び第１デシカントロータ４の再生部３１を流れて空調対象空間に送給され、空調対象空間の空気が第２流路２４を通して外部に排出されるデシカント空調装置。外部の空気は、第１デシカントロータ４の片面側から吸湿部２８に流入し、第１流路２４を流れる空気は、上記片面側から再生部３１に流入する。クリーニング運転時、外部からの空気は、流れ切換接続流路６２を通して第１デシカントロータ４の他面側から再生部３１に流入した後に排出接続流路６８及び第２流路を通して排出される。【選択図】図１
2015028398.tif 000002
【特許請求の範囲】
【請求項１】
空気中の水分を吸湿するための第１及び第２デシカントロータと、熱交換を行うための第１及び第２熱交換器とを備え、外部の空気が第１流路を通して前記第１デシカントロータの吸湿部、前記第１熱交換器、前記第２デシカントロータの吸湿部、前記第２顕熱交換器及び前記第１デシカントロータの再生部を流れて空調対象空間に送給され、前記空調対象空間の空気の一部が第２流路の第１中間分岐流路を通して前記第１熱交換器を流れて外部に排出されるとともに、その残部が前記第２流路の第２中間分岐流路を通して前記第２熱交換器及び前記第２デシカントロータの再生部を流れて外部に排出されるデシカント空調装置であって、
外部の空気は、前記第１流路を通して前記第１デシカントロータの片面側から前記吸湿部に流入し、前記第１流路を流れる空気は、前記第１デシカントロータの前記片面側から前記再生部に流入するように構成され、
前記第１デシカントロータに関連して、流れ切換接続流路及び排出接続流路が設けられ、前記流れ切換接続流路は、前記第１デシカントロータの前記再生部をバイパスして前記第１流路に接続され、前記排出接続流路は、前記第１流路における前記第１デシカントロータの前記再生部の上流側と前記第２流路とを接続し、
クリーニング運転時には、外部から前記第１流路に流入した空気は、前記流れ切換接続流路を通して前記第１デシカントロータの他面側から前記再生部に流入した後に前記排出接続流路及び前記第２流路を通して外部に排出されることを特徴とするデシカント空調装置。
【請求項２】
前記流れ切換接続流路に関連して、第１及び第２流路切換手段が配設されるとともに、前記排出接続流路に関連して、第３流路切換手段が配設され、通常運転時には、前記第１流路切換手段は、第１切換状態に保持されて前記第１流路の上流側からの空気をその下流側に流し、前記第２流路切換手段は、第１切換状態に保持されて前記第１デシカントロータの前記片面側から前記再生部を通過した空気を前記第１流路の下流側に流し、前記第３流路切換手段は、第１切換状態に保持されて前記第１流路の上流側からの空気をその下流側に前記第１デシカントロータの前記再生部に向けて流し、またクリーニング運転時には、前記第１流路切換手段は、第２切換状態に切り換えられて前記第１流路の上流側からの空気を前記流れ切換接続流路に流し、前記第２流路切換手段は、第２切換状態に切り換えられて前記流れ切換接続流路を流れる空気を前記第１デシカントロータの前記再生部に向け流し、前記第３流路切換手段は、第２切換状態に切り換えられて前記第１デシカントロータの前記他面側から前記再生部を通過した空気を前記排出接続流路を通して前記第２流路に向けて流すことを特徴とする請求項１に記載のデシカント空調装置。
【請求項３】
前記第２流路に関連して、送給接続流路が配設され、前記送給接続流路は、前記第２流路と前記第１流路又は前記流れ切換接続流路とを接続し、クリーニング運転時には、空調対象空間から前記第２流路に流入した空気は、前記送給接続流路を通して前記第１流路又は前記流れ切換接続流路に送給されることを特徴とする請求項１又は２に記載のデシカント空調装置。
【請求項４】
前記送給接続流路に関連して、第４流路切換手段が配設され、前記第４流路切換手段は、通常運転時に第１切換状態に保持されて前記第２流路の上流側からの空気をその下流側に流し、またクリーニング運転時に第２切換状態に切り換えられて前記第２流路の上流側からの空気を前記送給接続流路に流すことを特徴とする請求項３に記載のデシカント空調装置。
【請求項５】
空気中の水分を吸湿するための第１及び第２デシカントロータと、熱交換を行うための第１及び第２熱交換器とを備え、外部の空気が第１流路を通して前記第１デシカントロータの吸湿部、前記第１熱交換器、前記第２デシカントロータの吸湿部、前記第２熱交換器及び前記第１デシカントロータの再生部を流れて空調対象空間に送給され、前記空調対象空間の空気の一部が第２流路の第１中間分岐流路を通して前記第１熱交換器を流れて外部に排出されるとともに、その残部が前記第２流路の第２中間分岐流路を通して前記第２熱交換器及び前記第２デシカントロータの再生部を流れて外部に排出されるデシカント空調装置であって、
外部の空気は、前記第１流路を通して前記第１デシカントロータの片面側から前記吸湿部に流入し、前記第１流路を流れる空気は、前記第１デシカントロータの前記片面側から前記再生部に流入するように構成され、
前記第１デシカントロータに関連して、排出接続流路が設けられ、前記排出接続流路は、前記第１流路における前記第１デシカントロータの前記再生部の上流側と前記第２流路とを接続し、また、前記第２流路に関連して、送給接続流路が設けられ、前記送給接続流路は、前記第２流路と前記第１流路における前記第１デシカントロータの前記再生部の下流側とを接続し、
クリーニング運転時には、空調対象空間から前記第２流路に流れた空気は、前記送給接続流路を通して前記第１デシカントロータの他面側から前記再生部に流入した後に前記排出接続流路及び前記第２流路を通して外部に排出されることを特徴とするデシカント空調装置。
【請求項６】
空気中の水分を吸湿するための第１及び第２デシカントロータと、熱交換を行うための第１及び第２熱交換器とを備え、外部の空気が第１流路を通して前記第１デシカントロータの吸湿部、前記第１熱交換器、前記第２デシカントロータの吸湿部、前記第２熱交換器及び前記第１デシカントロータの再生部を流れて空調対象空間に送給され、前記空調対象空間の空気の一部が第２流路の第１中間分岐流路を通して前記第１熱交換器を流れて外部に排出されるとともに、その残部が前記第２流路の第２中間分岐流路を通して前記第２熱交換器及び前記第２デシカントロータの再生部を流れて外部に排出されるデシカント空調装置であって、
外部の空気は、前記第１流路を通して前記第１デシカントロータの片面側から前記ロータ部の前記吸湿部に流入し、前記第１流路を流れる空気は、前記第１デシカントロータの前記片面側から前記再生部に流入するように構成され、
前記第１デシカントロータに関連して、排出接続流路が設けられ、前記排出接続流路は、前記第１流路における前記第１デシカントロータの前記再生部の下流側と前記第２流路とを接続し、
クリーニング運転時には、前記第１流路を流れて前記第１デシカントロータの前記再生部を通過した空気は、前記排出接続流路及び前記第２流路を通して外部に排出されることを特徴とするデシカント空調装置。
【発明の詳細な説明】
【技術分野】
【０００１】
本発明は、二つのデシカントロータを備えたデシカント空調装置に関する。
【背景技術】
【０００２】
空調装置として二つのデシカントロータを用いたものが提案されている（例えば、特許文献１参照）。この空調装置においては、装置ハウジング内に外部からの空気を室内空間（空調対象空間）に導くための第１流路及び室内空間からの空気を外部に導くための第２流路が設けられ、第１流路の流入流路部に第１吸湿域が設けられ、この第１流路の排出流路部に第１再生域が設けられ、一方のデシカントロータ（第１デシカントロータ）は第１吸湿域及び第１再生域の間に跨がって配設されている。また、第１流路の流入流路部における第１吸湿域の下流側に第２吸湿域が設けられ、第２流路の排出流路部に第２再生域が設けられ、他方のデシカントロータ（第２デシカントロータ）は第２吸湿域及び第２再生域の間に跨がって配設されている。
【０００３】
この空調装置においては、外部からの空気が第１流路（第１吸湿域、第２吸湿域及び第１再生域）を通して室内空間に流れ、かく流れる間に、この空気中の水分が第１吸湿域において第１デシカントロータの吸湿材に吸湿され、吸湿されることにより温度上昇した空気が第１熱交換器により冷却された後に第２吸湿域に送給される。この第２吸湿域においては、冷却された空気中の水分が第２吸湿域において第２デシカントロータの吸湿材に吸湿され、過剰に吸湿されて温度上昇した空気が第２熱交換器により冷却された後に第１再生域に送給される。第１再生域においては、過剰に吸湿された空気が第１デシカントロータの吸湿材に吸湿された水分を奪い取って吸湿材の再生が行われ、水分の脱着に伴う気化熱により冷却された空気が室内空間に排出され、この冷却された空気により室内空間の冷房を行うことができる。
【０００４】
また、室内空間からの空気が第２流路（第２再生域）を通して外部に排出され、かく流れる間に、第２熱交換器により加温された空気が第２再生域において第２デシカントロータの吸湿材に吸湿された水分を奪い取って吸湿材の再生が行われ、水分の脱着に伴う気化熱により冷却された空気が外部に排出される。
【先行技術文献】
【特許文献】
【０００５】
【特許文献１】特開２００８−５７９５３号公報
【発明の概要】
【発明が解決しようとする課題】
【０００６】
このような空調装置においては、次の通りの解決すべき問題がある。外気からの空気は第１流路を通して室内空間に流れ、かく流れる際に、この空気に含まれる小さな塵、埃などがデシカントロータ（特に、第１デシカントロータ）のロータ部（即ち、空気が通流する部分）に付着し、長期にわたって使用するとこのロータ部に目詰まりが発生するおそれがある。このロータ部に目詰まりが発生すると、デシカントロータの吸湿性能が低下し、この吸湿低下に起因して空調装置の冷房能力、冷房効率が低下する。
【０００７】
また、この従来のデシカント空調装置では、外部からの空気は、第１デシカントロータの片面側から流入して第１吸湿域を通過して下流側に流れ、第１流路を下流側に流れる空気は、第１デシカントロータの他面側から流入して第１再生域を通過して流れるように構成されており、それ故に、第１吸湿域にて第１デシカントロータの表面に付着した塵、埃などは、第１再生域にて第１デシカントロータから剥がれ易く、剥がれた塵、埃などは下流側に流れて室内空間（空調対象空間）に流れるという問題がある。
【０００８】
本発明の目的は、デシカントロータに付着した小さな塵、埃などを空気の流れを利用して取り除くことができるデシカント空調装置を提供することである。
【課題を解決するための手段】
【０００９】
本発明の請求項１に記載のデシカント空調装置は、空気中の水分を吸湿するための第１及び第２デシカントロータと、熱交換を行うための第１及び第２熱交換器とを備え、外部の空気が第１流路を通して前記第１デシカントロータの吸湿部、前記第１熱交換器、前記第２デシカントロータの吸湿部、前記第２熱交換器及び前記第１デシカントロータの再生部を流れて空調対象空間に送給され、前記空調対象空間の空気の一部が第２流路の第１中間分岐流路を通して前記第１熱交換器を流れて外部に排出されるとともに、その残部が前記第２流路の第２中間分岐流路を通して前記第２熱交換器及び前記第２デシカントロータの再生部を流れて外部に排出されるデシカント空調装置であって、
外部の空気は、前記第１流路を通して前記第１デシカントロータの片面側から前記吸湿部に流入し、前記第１流路を流れる空気は、前記第１デシカントロータの前記片面側から前記再生部に流入するように構成され、
前記第１デシカントロータに関連して、流れ切換接続流路及び排出接続流路が設けられ、前記流れ切換接続流路は、前記第１デシカントロータの前記再生部をバイパスして前記第１流路に接続され、前記排出接続流路は、前記第１流路における前記第１デシカントロータの前記再生部の上流側と前記第２流路とを接続し、
クリーニング運転時には、外部から前記第１流路に流入した空気は、前記流れ切換接続流路を通して前記第１デシカントロータの他面側から前記再生部に流入した後に前記排出接続流路及び前記第２流路を通して外部に排出されることを特徴とする。
【００１０】
また、本発明の請求項２に記載のデシカント空調装置では、前記流れ切換接続流路に関連して、第１及び第２流路切換手段が配設されるとともに、前記排出接続流路に関連して、第３流路切換手段が配設され、通常運転時には、前記第１流路切換手段は、第１切換状態に保持されて前記第１流路の上流側からの空気をその下流側に流し、前記第２流路切換手段は、第１切換状態に保持されて前記第１デシカントロータの前記片面側から前記再生部を通過した空気を前記第１流路の下流側に流し、前記第３流路切換手段は、第１切換状態に保持されて前記第１流路の上流側からの空気をその下流側に前記第１デシカントロータの前記再生部に向けて流し、またクリーニング運転時には、前記第１流路切換手段は、第２切換状態に切り換えられて前記第１流路の上流側からの空気を前記流れ切換接続流路に流し、前記第２流路切換手段は、第２切換状態に切り換えられて前記流れ切換接続流路を流れる空気を前記第１デシカントロータの前記再生部に向け流し、前記第３流路切換手段は、第２切換状態に切り換えられて前記第１デシカントロータの前記他面側から前記再生部を通過した空気を前記排出接続流路を通して前記第２流路に向けて流すことを特徴とする。
【００１１】
また、本発明の請求項３に記載のデシカント空調装置では、前記第２流路に関連して、送給接続流路が配設され、前記送給接続流路は、前記第２流路と前記第１流路又は前記流れ切換接続流路とを接続し、クリーニング運転時には、空調対象空間から前記第２流路に流入した空気は、前記送給接続流路を通して前記第１流路又は前記流れ切換接続流路に送給されることを特徴とする。
【００１２】
また、本発明の請求項４に記載のデシカント空調装置では、前記送給接続流路に関連して、第４流路切換手段が配設され、前記第４流路切換手段は、通常運転時に第１切換状態に保持されて前記第２流路の上流側からの空気をその下流側に流し、またクリーニング運転時に第２切換状態に切り換えられて前記第２流路の上流側からの空気を前記送給接続流路に流すことを特徴とする。
【００１３】
また、本発明の請求項５に記載のデシカント空調装置は、空気中の水分を吸湿するための第１及び第２デシカントロータと、熱交換を行うための第１及び第２熱交換器とを備え、外部の空気が第１流路を通して前記第１デシカントロータの吸湿部、前記第１熱交換器、前記第２デシカントロータの吸湿部、前記第２熱交換器及び前記第１デシカントロータの再生部を流れて空調対象空間に送給され、前記空調対象空間の空気の一部が第２流路の第１中間分岐流路を通して前記第１熱交換器を流れて外部に排出されるとともに、その残部が前記第２流路の第２中間分岐流路を通して前記第２熱交換器及び前記第２デシカントロータの再生部を流れて外部に排出されるデシカント空調装置であって、
外部の空気は、前記第１流路を通して前記第１デシカントロータの片面側から前記吸湿部に流入し、前記第１流路を流れる空気は、前記第１デシカントロータの前記片面側から前記再生部に流入するように構成され、
前記第１デシカントロータに関連して、排出接続流路が設けられ、前記排出接続流路は、前記第１流路における前記第１デシカントロータの前記再生部の上流側と前記第２流路とを接続し、また、前記第２流路に関連して、送給接続流路が設けられ、前記送給接続流路は、前記第２流路と前記第１流路における前記第１デシカントロータの前記再生部の下流側とを接続し、
クリーニング運転時には、空調対象空間から前記第２流路に流れた空気は、前記送給接続流路を通して前記第１デシカントロータの他面側から前記再生部に流入した後に前記排出接続流路及び前記第２流路を通して外部に排出されることを特徴とする。
【００１４】
更に、本発明の請求項６に記載のデシカント空調装置では、空気中の水分を吸湿するための第１及び第２デシカントロータと、熱交換を行うための第１及び第２熱交換器とを備え、外部の空気が第１流路を通して前記第１デシカントロータの吸湿部、前記第１熱交換器、前記第２デシカントロータの吸湿部、前記第２熱交換器及び前記第１デシカントロータの再生部を流れて空調対象空間に送給され、前記空調対象空間の空気の一部が第２流路の第１中間分岐流路を通して前記第１熱交換器を流れて外部に排出されるとともに、その残部が前記第２流路の第２中間分岐流路を通して前記第２熱交換器及び前記第２デシカントロータの再生部を流れて外部に排出されるデシカント空調装置であって、
外部の空気は、前記第１流路を通して前記第１デシカントロータの片面側から前記ロータ部の前記吸湿部に流入し、前記第１流路を流れる空気は、前記第１デシカントロータの前記片面側から前記再生部に流入するように構成され、
前記第１デシカントロータに関連して、排出接続流路が設けられ、前記排出接続流路は、前記第１流路における前記第１デシカントロータの前記再生部の下流側と前記第２流路とを接続し、
クリーニング運転時には、前記第１流路を流れて前記第１デシカントロータの前記再生部を通過した空気は、前記排出接続流路及び前記第２流路を通して外部に排出されることを特徴とする。
【発明の効果】
【００１５】
本発明の請求項１に記載のデシカント空調装置によれば、外部の空気は、第１流路を通して第１デシカントロータの片面側から吸湿部に流入し、また第１流路を流れる空気は、第１デシカントロータのこの片面側から再生部に流入するので、吸湿部において第１デシカントロータに付着した塵、埃などは剥がれ難く、通常運転（冷房運転）時に空調対象空間に塵、埃などが流れるのを少なくすることができる。
【００１６】
また、クリーニング運転時には、外部から第１流路に流れた空気は、流れ切換接続流路を通して第１デシカントロータの他面側から再生部に流入するので、この空気の流れによって、第１デシカントロータに付着した塵、埃などは剥がれ易く、また剥がれた塵、埃などは空気とともに排出接続流路を通して外部に排出されるので、空調対象空間を汚すことなく第１デシカントロータをきれいにクリーニングすることができる。
【００１７】
また、本発明の請求項２に記載のデシカント空調装置によれば、通常運転時には第１及び第２流路切換手段が第１切換状態に保持されるので、第１流路の上流側からの空気は、第１デシカントロータの片面側からその再生部を通過した後第１流路の下流側に流れ、従って、外部からの空気を冷却させて空調対象空間に送給することができる。また、クリーニング運転時には、第１及び第２流路切換手段が第２切換状態に切り換えられるので、第１流路の上流側からの空気は、流れ切換接続流路を通して第１デシカントロータの再生部に流れ、この再生部を他面側から通過した後排出接続流路を通して第２流路に流れ、従って、外部からの空気を利用して第１デシカントロータに付着した塵、埃などを除去して外部に排出することができる。
【００１８】
また、本発明の請求項３に記載のデシカント空調装置によれば、第２流路と第１流路（又は流れ切換接続流路）とを接続する送給接続流路が設けられ、クリーニング運転時に空調対象空間からの空気が第２流路及び送給接続流路を通して第１流路（又は前記流れ切換接続流路）に送給されるので、外部からの空気とともに空調対象空間からの空気が第１デシカントロータの再生部を他面側から通過した後排出接続流路を通して第２流路に流れ、これによって、第１デシカントロータの再生部を通過する空気の送給量を多くして第１デシカントロータに付着した塵、埃などを効果的に取り除くことができる。
【００１９】
また、本発明の請求項４に記載のデシカント空調装置によれば、第４流路切換手段は、空調運転時に第１切換状態に保持されるので、空調対象空間からの空気を第２流路の下流側に送給し、またクリーニング運転時に第２切換状態に切り換えられるので、空気対象空間からの空気を第２流路及び送給接続流路を通して第１デシカントロータの再生部に送給することができる。
【００２０】
また、本発明の請求項５に記載のデシカント空調装置によれば、外部の空気は、第１流路を通して第１デシカントロータの片面側から吸湿部に流入し、また第１流路を流れる空気は、第１デシカントロータのこの片面側から再生部に流入するので、上述したと同様に、通常運転時に空調対象空間に塵、埃などが流れるのを少なくすることができる。また、クリーニング運転時には、空調対象空間からの空気が第２流路及び送給接続流路を通して第１デシカントロータの他面側から再生部に流入するので、空調対象空間からの空気の流れを利用して第１デシカントロータに付着した塵、埃などを取り除いて外部に排出することができる。
【００２１】
更に、本発明の請求項６に記載のデシカント空調装置によれば、クリーニング運転時に、第１流路を通して第１デシカントロータの再生部を通過した空気が排出接続流路及び第２流路を通して外部に排出されるので、この空気の流れを利用して第１デシカントロータに付着した塵、埃などを取り除いて外部に排出することができる。尚、このクリーニング時に利用する空気は、外部から第１流路に流入した空気を利用してもよく、空調対象空間から第２流路に流入した空気を利用してもよく、或いはこれら双方の空気を利用するようにしてもよい。
【図面の簡単な説明】
【００２２】
【図１】本発明に従うデシカント空調装置の第１の実施形態を簡略的に示す図。
【図２】図１のデシカント空調装置の通常運転時の空気の流れを説明するための図。
【図３】図１のデシカント空調装置のクリーニング運転時の空気の流れを説明するための図。
【図４】図１のデシカント空調装置の制御系を簡略的に示すブロック図。
【図５】図１のデシカント空調装置における目詰まりチェックの流れを示すフローチャート。
【図６】本発明に従うデシカント空調装置の第２の実施形態を簡略的に示す図。
【図７】本発明に従うデシカント空調装置の第３の実施形態を簡略的に示す図。
【図８】本発明に従うデシカント空調装置の第４の実施形態を簡略的に示す図。
【発明を実施するための形態】
【００２３】
以下、添付図面を参照して、本発明に従うデシカント空調装置の種々の実施形態について説明する。
【００２４】
〔第１の実施形態〕
まず、図１〜図５を参照して、第１の実施形態のデシカント空調装置について説明する。図１において、図示のデシカント空調装置２は、第１デシカントロータ４、第１熱交換器６（顕熱交換器から構成される）、第２デシカントロータ８及び第２熱交換器１０（顕熱交換器から構成される）を備えている。
【００２５】
この実施形態では、デシカント空調装置２は、外部吸入部１２、外部排出部１４及び室内吸入部１６及び室内排出部１８を備え、外部からの空気が外部吸入部１２を通して吸入され、空調対象空間からデシカント空調装置２内を流れた空気が外部排出部１４から外部に排出され、空調対象空間（室内空間）からの空気が室内吸入部１６から吸入され、外部からデシカント空調装置２内を流れた空気が室内排出部１８から空調対象空間（室内空間）に送給される。室内吸入部１６には、例えば、吸入ダクト（図示せず）が接続され、この吸入ダクトを介して空調対象空間内の空気が吸入される。また、室内排出部１８には、例えば送給ダクト（図示せず）が接続され、後述する如くして冷却された空気が送給ダクトを介して空調対象空間（一つ又は二つ以上の室内空間）に送給される。
【００２６】
このデシカント空調装置２においては、外気吸入部１２から吸入された空気は、外部からの空気を空調対象空間（室内空間）に導くための第１流路２４を通して室内排出部１８に流れ、また室内吸入部１６から吸入された空気は、室内空間からの空気を外部に排出するための第２流路２６を通して外部排出部１４に流れる。
【００２７】
この実施形態では、外気吸入部１２から延びる第１流路２４は、第１デシカントロータ４の吸湿部２８及び第１熱交換器６を通って第２デシカントロータ８に至り、この第２デシカントロータ８の吸湿部３０及び第２熱交換器１０を通り、更に第１デシカントロータ４の再生部３１を通って室内排出部１８に至る。また、室内吸入部１６から延びる排出流路２６は、その中間部が第１中間分岐流路３２及び第２中間分岐流路３４に分岐され、第１中間分岐流路３２は、第１熱交換器６を通って第２流路２６の下流側部に合流し、また第２中間分岐流路３４は、第２熱交換器１０及び第２デシカントロータ８の再生部３６を通って第２流路２６の下流側部に合流し、この第２流路２６の下流側部を通して外部排出部１４に至る。
【００２８】
第１及び第２デシカントロータ４，８は円板状であり、それらの全体が例えばハニカム状構造に構成されて多数の通気孔が設けられ、これらハニカム状構造の表面に吸湿材が担持（例えば、塗布）されている。第１デシカントロータ４は、第１流路２４の上流側部（具体的には、外気吸入部１２と第１熱交換器６との間の部位であって、第１吸湿域Ｋ１）とその下流側部（具体的には、第２熱交換器１０と室内排出部１８との間の部位であって、第１再生域Ｓ１）に跨がって配設される。第１デシカントロータ４における第１吸湿域Ｋ１に位置する部位は、吸湿部２８として機能し、この吸湿部２８において、吸湿材が空気中に含まれる水分を吸湿する。また、第１デシカントロータ４における第１再生域Ｓ１に位置する部位は、再生部３１として機能し、この再生部３１において、吸湿された水分が奪い取られて吸湿材の再生が行われる。
【００２９】
この第１デシカントロータ４には、例えば電動モータから構成される第１駆動源４２が駆動連結され、第１駆動源４２によって第１デシカントロータ４が矢印で示す方向に第１吸湿域Ｋ１及び第１再生域Ｓ１を通して回動され、かく回動されることによって、第１吸着域Ｋ１において空気中の水分の吸着が、また第１再生域Ｓ１において吸着された水分の放出が連続的に行われる。
【００３０】
また、第２デシカントロータ８は、第１流路２４の中間部（具体的には、第１熱交換器６と第２熱交換器１０との間の部位であって、第２吸湿域Ｋ２）と第２流路２６（具体的には、第２中間分岐流路３４における第２熱交換器１０よりも下流側の部位であって、第２再生域Ｓ２）に跨がって配設される。第２デシカントロータ８における第２吸湿域Ｋ２に位置する部位は、吸湿部３０として機能し、この吸湿部３０において、吸湿材が空気中に含まれる水分を吸湿する。また、第２デシカントロータ８における第２再生域Ｓ２に位置する部位は、再生部３６として機能し、この再生部３６において、吸湿された水分が奪い取られて吸湿材の再生が行われる。
【００３１】
この第２デシカントロータ８には、例えば電動モータから構成される第２駆動源４６が駆動連結され、第２駆動源４６によって第２デシカントロータ８が矢印で示す方向に第２吸湿域Ｋ２及び第２再生域Ｓ２を通して回動され、かく回動されることによって、第２吸着域Ｋ２において空気中の水分の吸着が、また第２再生域Ｓ２において吸着された水分の放出が連続的に行われる。
【００３２】
第１流路２４には、外部空気を吸入するための吸入送風機５０が設けられ、この吸入送風機５０は、第１デシカントロータ４の吸湿部２８の上流側に配設されている。また、第２流路２６には、空調対象空間（室内空間）の空気を排出するための排出送風機５２が設けられ、この排出送風機５２は、第１及び第２中間分岐流路３２，３４の分岐部よりも上流側に設けられている。
【００３３】
このデシカント空調装置２においては、更に、第２流路２６の第２中間分岐流路３４（具体的には、第２熱交換器１０と第２デシカントロータ８の再生部３６との間の部位）に、加熱手段としての温水熱交換器５４が設けられている。この温水熱交換器５４に関連して、温水を生成するための熱源機５６が設けられ、この熱源機５６と温水熱交換器５４とが温水循環流路５８を介して接続され、熱源機５６にて生成された温水は、温水循環流路５８及び温水熱交換器５４を通して循環される。尚、加熱手段として電気的加熱手段（例えば、電気ヒータ）を用いるようにしてもよい。
【００３４】
このデシカント空調装置２では、外部空気は第１流路２４を通して空調対象空間（室内空間）に流れ、また空調対象空間（室内空間）の空気は、第２流路２６を通して外部に流れ、かく流れる間に、第１流路２４を流れる空気が次のようにして冷却され、生成された冷却空気が空調対象空間に送給される。
【００３５】
外気吸入部１２を通して第１流路２４に吸入された空気は、第１デシカントロータ４に流れ、第１吸湿部Ｋ１において、第１デシカントロータ４の吸湿部２８を通して流れる間に、空気中の水分が吸湿部２８の吸湿材に吸着されてその温度が上昇する。そして、除湿された高温の空気が第１熱交換器６に流れ、この第１熱交換器６において、第１中間分岐流路３２を流れる空気との間で熱交換が行われ、この熱交換によって第１流路２４を流れる空気の温度が低下する。その後、温度が低下した除湿空気が第２デシカントロータ８に流れ、第２吸湿域Ｋ２において、第２デシカントロータ８の吸湿部３０を流れる間に、空気中の水分が吸湿部３０の吸湿材に更に吸着され、過剰に吸湿されてその温度が上昇する。
【００３６】
この過剰に除湿された高温の空気は、第２熱交換器１０に流れ、この第２熱交換器１０において、第２中間分岐流路３４を流れる空気との間で熱交換が行われ、この熱交換によって第１流路２４の空気の温度が低下し、温度低下した空気が第１デシカントロータ４に流れる。第１再生域Ｓ１においては、第１デシカントロータ４の再生部３１を通して流れる間に、過剰に除湿された空気が、この再生部３１の吸湿材に吸着された水分を奪い取り（この水分の奪い取りにより、第１デシカントロータ４の除湿材の再生が行われる）、奪い取った水分によって空気の湿度が上昇する一方、この水分の脱着に伴う気化熱によってこの空気の冷却が行われ、このようにして冷却された空気が室内排出部１８から空調対象空間に送られる。
【００３７】
尚、空調対象空間から第２中央分岐流路３４に送給された空気は、上述したように、第２熱交換器１０を通して流れる間に、第１流路２４を流れる空気との間の熱交換によって加温され、この加温された空気は、温水熱交換器５４において、熱源機５６から温水循環ライン５８を通して流れる温水との間の熱交換によって更に加温され、このように加温された空気が第２デシカントロータ８に流れる。第２再生域Ｓ２においては、第２デシカントロータ８の再生部３６を流れる間に、この加温された空気が、第２デシカントロータ８の吸湿材に吸着された水分を奪い取り、これによって、第２デシカントロータ８の吸湿材が再生され、この水分を含む空気が、第２流路２６を通して外部に排出される。
【００３８】
このデシカント空調装置２では、空気の流れを利用して第１デシカントロータ４のクリーニングを行うために、次のように構成されている。第１デシカントロータ４に関連して、その再生部３１をバイパスして流れ切換接続流路６２が設けられている。この流れ切換接続流路６２の一端側は、第１流路２４における第１デシカントロータ４の再生部３１の上流側に接続され、その他端側は、第１流路１２における第１デシカントロータ４の再生部３１の下流側に接続されている。この実施形態では、この流れ切換接続流路６２の一端側と第１流路２４との接続部に、第１流路切換手段６４が配設され、また流れ切換接続流路６２の他端側と第１流路２４との接続部に、第２流路切換手段６６が設けられている。
【００３９】
また、この第１デシカントロータ４に関連して、第１流路２４と第２流路２６とを接続する排出接続流路６８が設けられている。排出接続流路６８の一端側は、第１流路２４における第１デシカントロータ４の再生部３１の上流側に接続され、その他端側は、第２流路２６（具体的には、第１中間分岐流路３２と第２中間分岐流路３４との合流部より下流側の部位）に接続されている。この形態では、排出接続流路６８の一端側と第１流路２４との接続部に、第３流路切換手段７０が配設されている。
【００４０】
更に、第２流路２６に関連して、第２流路２６からの空気を第１流路２４側に送給するための送給接続流路７２が設けられている。送給接続流路７２の一端側は、第２流路２６（具体的には、排出送風機５２と第１及び第２中間分岐流路３２，３４の分岐部位との間の部位）に接続され、その他端側は、流れ切換接続流路６２に接続されている。この送給接続流路７２に関連して、第４流路切換手段７４が設けられ、この第４流路切換手段７４は、第２流路２６と送給接続流路７２の一端側との接続部に配設されている。
【００４１】
尚、この送給接続流路７２の他端側は、第１流路２４における第１流路切換手段６４よりも上流側（具体的には、第２熱交換器１０と第１流路切換手段６４との間の部位）又は第１流路２４における第２流路切換手段６６よりも上流側（具体的には、第１デシカントロータ４の再生域３１と第２流路切換手段６６との間の部位）に接続するようにしてもよい。
【００４２】
図２及び図３をも参照して、第１〜第４流路切換手段６４，６６，７０，７４の各々は、例えば流路切換弁から構成され、第１及び第２切換状態に切り換えられる。第１流路切換手段６４は、第１切換状態のときには第１流路２４の上流側とその下流側とを連通し（図２参照）、第２切換状態のときには第１流路２４の上流側と流れ切換接続流路６２の一端側とを連通する（図３参照）。第２流路切換手段６６は、第１切換状態のときには第１流路２４の上流側と下流側とを連通し（図２参照）、第２切換状態のときには第１流路２４の上流側と流れ切換接続流路６２の他端側とを連通する（図３参照）。また、第３流路切換手段７０は、第１切換状態のときには第１流路２４の上流側とその下流側とを連通し（図２参照）、第２切換状態のときには第１流路２４の下流側と排出接続流路６８の一端側とを接続する（図３参照）。更に、第４流路切換手段７４は、第１切換状態のときには第２流路２６の上流側とその下流側を連通し（図２参照）、第２切換状態のときには第２流路２６の上流側と送給接続流路７２の一端側とを連通する（図３参照）。
【００４３】
このデシカント空調装置２では、第１デシカントロータ４の目詰まり状態を検知するために、更に、次の通りに構成されている。図１とともに図４及び図５を参照して、この実施形態では、吸入空気の流れ方向に見て第１流路２４の第１吸湿域Ｋ１より上流側に第１温度検知手段７６及び第１湿度検知手段７８が配設されている。第１温度検知手段７６は、第１デシカントロータ４の吸湿部２８に流入する流入側空気の温度を検知し、第１湿度検知手段７８は、この流入側空気の湿度（相対湿度）を検知する。
【００４４】
また、吸入空気の流れ方向に見て第１流路２４の第１吸湿域Ｋ１より下流側に第２温度検知手段８０及び第２湿度検知手段８２が配設されている。第２温度検知手段８０は、第１デシカントロータ４の吸湿部２８から流出する流出側空気の温度を検知し、第２湿度検知手段８２は、この流出側空気の湿度（相対湿度）を検知する。
【００４５】
第１及び第２温度検知手段７６，８０並びに第１及び第２湿度検知手段７８，８２からの検知信号はコントローラ８４に送給され、コントローラ８４は、これらの検知信号に基づいて第１デシカントロータ４の目詰まり状態を検知する。図示のコントローラ８４は、例えばマイクロプロセッサなどから構成され、絶対湿度演算手段８６、絶対湿度差演算手段８８、目詰まり判定手段９０、運転切換信号生成手段９２及び作動制御手段９４を含んでいる。絶対湿度演算手段８６は、第１温度検知手段７６の検知温度及び第１湿度検知手段７８の検知湿度に基づいて流入側空気の絶対湿度（ｘ１）を演算し、また第２温度検知手段８０の検知温度及び第２湿度検知手段８２の検知湿度に基づいて流出側空気の絶対湿度（ｘ２）を検知する。また、絶対湿度差演算手段８８は、流入側空気の絶対湿度（ｘ１）と流出側空気の絶対湿度（ｘ２）との湿度差（Δｘ）（Δｘ＝ｘ１−ｘ２）、換言すると第１吸湿域Ｋ１における第１デシカントロータ４の吸湿量を演算し、目詰まり判定手段９０は、この絶対湿度差（Δｘ）に基づいて後述するようにして目詰まり発生を判定する。また、運転切換信号生成手段９２は、後述するようにして通常運転（空調運転）らクリーニング運転に、またクリーニング運転から通常運転に切り換えるための運転切換信号を生成し、作動制御手段９４は、第１及び第２駆動源４２，４６、吸入送風機５０、排出送風機５２並びに第１〜第４流路切換手段６４，６６．７０，７４などを作動制御する。
【００４６】
このコントローラ８４は、更に、積算タイマ９６及びメモリ手段９８を含んでいる。積算タイマ９６は、デシカント空調装置２の積算運転時間を計測し、この積算タイマ９６の積算時間が例えば１００時間達する毎に後述する目詰まりチェックが実行される。また、メモリ手段９８には、目詰まりチェックを実行する積算運転時間（この形態では、１００時間、２００時間、３００時間・・・）が記憶されているとともに、目詰まり発生の基準となる判定基準値、クリーニング運転の運転時間などが記憶されている。
【００４７】
このコントローラ８４に関連して、クリーニング運転表示手段１００が設けられている。クリーニング運転表示手段８８は、例えばＬＥＤランプ（図示せず）などから構成され、作動制御手段９４はクリーニング運転中にクリーニング運転表示手段８８を点灯させてクリーニング運転中であることを知らせる。
【００４８】
次に、このデシカント空調装置２におけるクリーニング運転への切換えについて説明する。主として図１、図４及び図５を参照して、デシカント空調装置２の電源スイッチ（図示せず）をオン（閉）操作すると、ステップＳ１からステップＳ２に進み、デシカント空調装置２が作動し、第１〜第４流路切換手段６４，６６，７０，７４が第１切換状態に保持され（図２参照）、外部の空気が第１流路２４を流れる間に上述したようにして冷却される冷房運転が行われるとともに、積算タイマ９６が作動して稼働時間の積算が行われる（ステップＳ３）。そして、この積算タイマ９６の積算時間が目詰まりチェックの時間に達する（例えば、デシカント空調装置２の使用開始から１００時間、２００時間、３００時間・・・に達する）と、ステップＳ４を経てステップＳ５に進み、第１デシカントロータ４の目詰まりチェックが行われる。
【００４９】
この目詰まり状態のチェックにおいては、流入側空気及び流出側空気の絶対湿度が演算される（ステップＳ６）。即ち、第１温度検知手段７６が第１吸湿域Ｓ１に流入する流入側空気の温度を検知し、第１湿度検知手段７８が流入側空気の湿度を検知し、絶対湿度演算手段８６はこれら検知温度及び検知湿度に基づいて流入側空気の絶対湿度（ｘ１）を演算する。また、第２温度検知手段８０が第１吸湿域Ｓ１から流出する流出側空気の温度を検知し、第２湿度検知手段８２が流出側空気の湿度を検知し、絶対湿度演算手段８６はこれら検知温度及び検知湿度に基づいて流出側空気の絶対湿度（ｘ２）を演算する。
【００５０】
そして、流入側空気の絶対湿度（ｘ１）及び流出側空気の絶対湿度（ｘ２）に基づいて、絶対湿度差演算手段８８は第１デシカントロータ４の吸湿部２８を通して流れる空気の絶対湿度差（Δｘ＝ｘ１−ｘ２）を演算し（ステップＳ７）、この絶対湿度差（Δｘ）が第１デシカントロータ４の吸湿部２８での吸湿量となる。
【００５１】
その後、この絶対湿度差（Δｘ）に基づいて目詰まり発生の判定が行われ（ステップＳ８）、この絶対湿度差（Δｘ）が判定基準値（ｘｔ）より大きい（Δｘ＞ｘｔ）かの判定が行われる。上記絶対湿度差（Δｘ）が判定基準値（ｘｔ）より大きい場合（Δｘ＞ｘｔ）、第１デシカントロータ４の吸湿量がほとんど低下していないということであり、このような場合には、ステップＳ８からステップＳ９を経てステップＳ１０に進み、目詰まり判定手段９０は、第１デシカントロータ４に目詰まりが発生していないとして「目詰まりなし」の判定を行い、ステップＳ１１に移って目詰まり状態のチェックが終了する。
【００５２】
また、上記絶対湿度差（Δｘ）が判定基準値（ｘｔ）以下である（Δｘ≦ｘｔ）場合、第１デシカントロータ４の吸湿量が塵、埃などの付着により低下しているということであり、このような場合、ステップＳ８からステップＳ９を経てステップＳ１２に移り、目詰まり判定手段９０は、第１デシカントロータ４に目詰まりが発生しているとして「目詰まり発生」の判定を行い、ステップＳ１３に進んで目詰まり状態のチェックが終了する。
【００５３】
目詰まりチェックにおいて「目詰まり発生」と判定されると、ステップＳ１４に進み、運転切換信号生成手段９２は運転切換信号を生成し、この運転切換信号に基づいてコントローラ８４は通常運転（即ち、冷房運転）からクリーニング運転に切り換え、第１デシカントロータ４のクリーニングが行われる（ステップＳ１５）。
【００５４】
このクリーニング運転においては、第１及び第２駆動源４２、４６が駆動され（即ち、第１及び第２デシカントロータ４，８が所定方向に回動され）、吸入送風機５０及び排出送風機５２が作動された状態において、作動制御手段９４は、第１〜第４流路切換手段６４，６６，７０，７４を第１切換状態（図２に示す状態）から第２切換状態（図３に示す状態）に切り換える。即ち、第１流路切換手段６４は、第１流路２４の上流側と流れ切換接続流路６２の一端側とを連通し、第２流路切換手段６６は、流れ切換接続流路６２の他端側と第１流路２４とを連通し、第３流路切換手段７０は第１流路１２の下流側と排出接続流路６８の一端側とを連通し、また第４流路切換手段７４は、第２流路２６の上流側と送給接続流路７２とを連通する。
【００５５】
従って、このクリーニング運転においては、外部から第１流路２４に流入した空気は、この第１流路２４を通して流れ切換接続流路６２に流れ、また空調対象空間から第２流路２６に流入した空気は、第２流路２６及び送給接続流路７２を通して流れ切換接続流路６２に流れ、この流れ切換接続流路６２に流れた空気は、通常運転（冷房運転）時とは反対方向に、第１デシカントロータ４の再生部３１を他面側から片面側に向けて流れ、かく流れる際に第１デシカントロータ４の表面に付着した塵、埃などが除去されてそのクリーニングが行われる。このとき、外部からの第１流路２４に流入した空気及び空調対象空間から第２流路２６に流入した空気がデシカントロータ４の再生部３１を流れるので、その空気の流量が多く、かかる空気流によって塵、埃などを効果的に除去することができる。そして、第１デシカントロータ４の再生部３１を通過した空気は、第１流路２４及び排出接続流路６８を通して第２流路２６に流れ、この第２流路２６を通して外部に排出される。尚、このクリーニング運転中においては、作動制御手段９４はクリーニング運転表示手段１００を作動させてその旨を知らせる。
【００５６】
このクリーニング運転は、所定時間（例えば、２時間程度）継続して行われ、所定時間にわたって第１デシカントロータ４のクリーニングが行われると、ステップＳ１６からステップＳ１７に進み、運転切換信号生成手段９２が運転切換信号を生成し、かかる運転切換信号に基づいてクリーニング運転から通常運転（冷房運転）に切り換えられ、これにより、クリーニング運転が終了して冷房運転が再開される（ステップＳ１８）。
【００５７】
この冷房運転においては、作動制御手段９４は、第１〜第４流路切換手段６４，６６，７０，７４を第２切換状態（図３に示す状態）から第１切換状態（図２に示す状態）に切り換え、第１流路切換手段６４は、第１流路２４の上流側とその下流側とを連通し、第２流路切換手段６６は、第１流路２４の上流側とその下流側とを連通し、第３流路切換手段７０は第１流路１２の上流側とその下流側とを連通し、また第４流路切換手段７４は、第２流路２６の上流側とその下流側とを連通し、従って、外部からの空気は、上述したように、第１流路２４を流れてして冷却された後に空調対象空間に送給され、また空調対象空間からの空気は、第２流路２６（第１中間分岐流路３２及び第２中間分岐流路３４）を通して外部に排出される。
【００５８】
〔第２の実施形態〕
次に、図６を参照して、デシカント空調装置の第２の実施形態について説明する。尚、以下の実施形態において、上述の第１の実施形態と実質上同一のものについては同一の参照番号を付し、その説明を省略する。
【００５９】
図６において、この第２の実施形態のデシカント空調装置2Ａにおいては、第１デシカントロータ４に関連して、その再生部３１をバイパスして流れ切換接続流路６２が設けられているとともに、第１流路２４と第２流路２６とを接続する排出接続流路６８が設けられている。また、流れ切換接続流路６２の一端側と第１流路２４との接続部には、第１流路切換手段６４が配設され、流れ切換接続流路６２の他端側と第１流路２４との接続部には、第２流路切換手段６６が設けられ、更に、排出接続流路６８の一端側と第１流路２４との接続部に第３流路切換手段７０が配設されている。流れ切換接続流路６２、排出接続流路６８及び第１〜第３流路切換手段６４，６６，７０は、上述した第１の実施形態と実質上同一の構成でよく、この第２の実施形態では、第１の実施形態における送給接続流路７２及びそれに関連する第４流路切換手段７４が省略されている。尚、図６においては、第１及び第２温度検知手段並びに第１及び第２湿度検知手段を省略して示している。
【００６０】
この第２の実施形態においても、第１〜第３流路切換手段６４，６６，７０は、第１の実施形態と同様に切換制御され、通常運転（冷房運転）時には、第１〜第３流路切換弁６４，６６，７０は第１切換状態に保持され、外部から第１流路２４に流入した空気は、第１流路２４を通して流れる間に上述したようにして冷却され、冷却された空気が空調対象空間に送給される。またクリーニング運転時には、  第１〜第３流路切換手段６４，６６，７０は第２切換状態に切り換えられ、外部から第１流路２４に流入した空気は、この第１流路２４を通して流れ切換接続流路６２に流れ、この流れ切換接続流路６２を通して第１デシカントロータ４の再生部３１を他面側から片面側に向けて流れ、かく流れる際に第１デシカントロータ４の表面に付着した塵、埃などが除去される。そして、塵、埃などを含んだ空気は、第１流路２４、排出接続流路６８及び第２流路２６を通して外部に排出され、かくして、外部から第１流路２４に流入した空気を利用して第１デシカントロータ４の表面に付着した塵、埃などを除去することができる。尚、このクリーニング運転時、排出送風機５２については作動させて空調対象空間内の空気を第２流路２６を通して外部に排出するようにしてもよいが、この排出送風機５２の作動を停止させるようにしてもよい。
【００６１】
この第２の実施形態では、外部から第１流路１２に流入した空気の流れを利用して第１デシカントロータ４に付着した塵などを取り除いているので、そのクリーニング効果を高めるためには、クリーニング運転時に吸入送風機５０の回転数を高くして第１流路２４を流れる空気の流量を大きくするのが好ましい。
【００６２】
〔第３の実施形態〕
次に、図７を参照して、デシカント空調装置の第３の実施形態について説明する。図７において、この第３の実施形態のデシカント空調装置２Ｂにおいては、第１デシカントロータ４に関連して、第１流路２４（第１デシカントロータ４の再生部３１より上流側の部位）と第２流路２６とを接続する排出接続流路６８が設けられているとともに、第２流路２６に関連して、第２流路２６と第１流路２４（具体的には、第１デシカントロータ４の再生部３１より下流側の部位）とを接続する送給接続流路７２が設けられている。また、排出接続流路６８の一端側と第１流路２４との接続部に第３流路切換手段７０が配設されているとともに、送給接続流路７２の一端側と第２流路２６との接続部に第４流路切換弁７４が配設され、排出接続流路６８、送給接続流路７２並びに第３及び第４流路切換手段７０，７４は、上述した第１の実施形態と実質上同一の構成でよく、この第３の実施形態では、第１の実施形態における流れ切換接続流路６２並びにそれに関連する第１及び第２流路切換手段６４，６６が省略されている。尚、図７においても、第１及び第２温度検知手段並びに第１及び第２湿度検知手段を省略して示している。
【００６３】
この第３の実施形態においても、第３及び第４流路切換手段７０，７４は、第１の実施形態と同様に切換制御され、通常運転（冷房運転）時には、第３及び第４流路切換弁７０，７４は第１切換状態に保持され、外部から第１流路２４に流入した空気は、第１流路２４を通して流れる間に上述したようにして冷却され、冷却された空気が空調対象空間に送給される。またクリーニング運転時には、第３及び第４流路切換手段７０，７４は第２切換状態に切り換えられ、空調対象空間から第２流路２６に流入した空気は、送給接続流路７２を通して第１流路２４に流れ、第１デシカントロータ４の再生部３１を他面側から片面側に向けて流れ、かく流れる際に第１デシカントロータ４の表面に付着した塵、埃などが除去される。そして、塵、埃などを含んだ空気は、上述したと同様に、第１流路２４、排出接続流路６８及び第２流路２６を通して外部に排出され、かくして、空調対象空間から第２流路２６に流入した空気を利用して第１デシカントロータ４の表面に付着した塵、埃などを除去することができる。尚、このクリーニング運転中は、吸入送風機５０は作動停止され、外部の空気が第１流路２４を通して下流側に流れることはない。
【００６４】
この第３の実施形態では、空調対象空間から第２流路２６に流入した空気の流れを利用して第１デシカントロータ４に付着した塵などを取り除いているので、そのクリーニング効果を高めるためには、クリーニング運転時に排出送風機５２の回転数を高くして第２流路２６から第１流路２４に送給される空気の流量を大きくするのが好ましい。
【００６５】
〔第４の実施形態〕
次に、図８を参照して、デシカント空調装置の第４の実施形態について説明する。図８において、この第４の実施形態のデシカント空調装置２Ｃにおいては、通常運転（冷房運転）時には、外部からの空気は、第１流路１２を通して第１デシカントロータ４の片面側からその吸湿部２８と通して下流側に流れ、また第１流路２４を下流側に流れる空気は、第１デシカントロータ４の上記片面側からその再生部３１を通して下流側に流れ、またクリーニング運転時には、通常運転時と同様に、第１流路２４を下流側に流れる空気が第１デシカントロータ４の上記片面側からその再生部３１を通して下流側に流れる用に構成されている。
【００６６】
そして、このことに関連して、排出接続流路６８Ｃが第２流路２６と第１流路２４（具体的には、第１デシカントロータ４の再生部３１より下流側の部位）とを接続するように設けられ、この排出接続流路６８Ｃの一端側と第１流路２４との接続部に第３流路切換手段７０Ｃが配設され、排出接続流路６８Ｃ及び第３流路切換手段７０Ｃは、上述した第１の実施形態と実質上同一の構成でよい。尚、図８においても、第１及び第２温度検知手段並びに第１及び第２湿度検知手段を省略して示している。
【００６７】
この第４の実施形態においても、第３流路切換手段７０Ｃは、第１の実施形態と同様に切換制御され、通常運転（冷房運転）時には、第３流路切換弁７０Ｃは第１切換状態に保持され、外部から第１流路２４に流入した空気は、第１流路２４を通して流れる間に上述したようにして冷却され、冷却された空気が空調対象空間に送給される。またクリーニング運転時には、第３流路切換手段７０Ｃは第２切換状態に切り換えられ、外部から第１流路に流入した空気は、第１流路２４を通して第１デシカントロータ４に流れ、この第１デシカントロータ４の再生部３１を片面側から他面側に流れ、かく流れる際に第１デシカントロータ４の表面に付着した塵、埃などが除去される。そして、塵、埃などを含んだ空気は、第１流路２４、排出接続流路６８Ｃ及び第２流路２６を通して外部に排出され、かくして、外部から第１流路２４に流入した空気を利用して第１デシカントロータ４の表面に付着した塵、埃などを除去することができる。尚、このクリーニング運転中は、排出送風機５２は作動させてもよく、或いは作動停止させるようにしてもよい。
【００６８】
この第４の実施形態では、外部から第１流路２４に流入した空気の流れを利用して第１デシカントロータ４に付着した塵などを取り除いているので、吸入送風機５０の回転数を高くして第１流路２４を流れる空気の流量を大きくするようにしてクリーニング効果を高めるようにすることができる。
【００６９】
尚、この第４の実施形態において、外部から第１流路２４に流入した空気を利用してクリーニングを行っているが、この様な空気に代えて、空調対象空間から第２流路２６に流入した空気を利用してクリーニングを行うようにしてもよく、或いはこれら双方の空気を利用してクリーニングを行うようにしてもよい。
【００７０】
以上、本発明に従うデシカント空調装置の種々の実施形態について説明したが、本発明はこれら実施形態に限定されるものではなく，本発明の範囲を逸脱することなく種々の変更乃至修正が可能である。
【符号の説明】
【００７１】
２，２Ａ．２Ｂ．２Ｃ  デシカント空調装置
４  第１デシカントロータ
８  第２デシカントロータ
２４  第１流路
２６  第２流路
６２  流れ切換接続流路
６４  第１流路切換手段
６６  第２流路切換手段
６８，６８Ｃ  排出接続流路
７０，７０Ｃ  第３流路切換手段
７２  送給接続流路
７４  第４流路切換手段
Ｋ１  第１吸湿域
Ｋ２  第２吸湿域
Ｓ１  第１再生域
Ｓ２  第２再生域
【図１】
2015028398.tif 000003
【図２】
2015028398.tif 000004
【図３】
2015028398.tif 000005
【図４】
2015028398.tif 000006
【図５】
2015028398.tif 000007
【図６】
2015028398.tif 000008
【図７】
2015028398.tif 000009
【図８】
2015028398.tif 000010